(57)【要約】【課題】凹版印刷によって白彩紋が設けられ、既に偽造防止効果を有する白彩紋印刷物の偽造防止効果を更に高めた白彩紋印刷物を提供すること。【解決手段】凹版印刷によって白彩紋が設けられた印刷物において、白彩紋以外の部分４が潜像部３と背景部２とで構成されており、潜像部、及び背景部の中間濃度が、各々万線又は網点で表現され、ほぼ同濃度であること。潜像部の画線５の面積率が５０％〜９６％であって、背景部の画線７の面積率が潜像部の画線の面積率の±２０％以内であること。【選択図】図５
2004130587.tif 000002
【特許請求の範囲】
【請求項１】
凹版印刷によって白彩紋が設けられた印刷物において、白彩紋以外の部分が潜像部と背景部とで構成されており、潜像部、及び背景部が、各々万線又は網点で表現され、ほぼ同濃度であることを特徴とする潜像を有する白彩紋印刷物。
【請求項２】
前記潜像部、及び背景部が、共に万線で表現されており、潜像部の万線が縦万線、背景部の万線が横万線の組み合わせ、又は潜像部の万線が横万線、背景部の万線が縦万線の組み合わせであることを特徴とする請求項１記載の潜像を有する白彩紋印刷物。
【請求項３】
前記潜像部の画線の面積率が５０％〜９６％であって、前記背景部の画線の面積率が該潜像部の画線の面積率の±２０％以内であることを特徴とする請求項１、又は請求項２記載の潜像を有する白彩紋印刷物。
【発明の詳細な説明】
【０００１】
【発明の属する技術分野】
本発明は、紙幣や有価証券類の偽造防止効果を更に高めた白彩紋印刷物に関する。
【０００２】
【従来の技術】
紙幣や有価証券類の偽造を防ぐために、波状線、弧、又は円などを組み合わせた精密な幾何的模様である彩紋が紙幣や有価証券類の図案の中に用いられている。この模様が白線で形成された際の彩紋を白彩紋と称している。
凹版印刷によって白彩紋が設けられた印刷物は、白彩紋自体に偽造防止効果があるので、白彩紋以外の部分は背景部として一様な濃度のものとしていた。
【０００３】
図１は、白彩紋印刷物の一例を示したものである。図１に示すように、白彩紋印刷物は、円模様の白彩紋（１）と、一様な濃度の背景部（２）とで構成されている。白彩紋（１）は白線となるように用紙上にインキが設けられていない部分であり、背景部（２）はインキが設けられている部分である。
【０００４】
図２は、白彩紋を凹版印刷で印刷する際の、凹版とインキの関係を示した断面図である。図２に示すように、凹版（２１）には、凹部（２２）が形成されている。図２中、（ａ）から（ｃ）へとドクター（２３）が移動することによって、凹版（２１）上の全面に余分に盛られたインキ（２４）はかきとられ、凹部（２２）にインキ（２５）が盛られる。また、凹部でない部分（２６）にはインキは盛られない。
このように、凹部（２２）にインキ（２５）が盛られた凹版（２１）で用紙に印刷を行うと、凹部（２２）のインキ（２５）は用紙に転移されて背景部となり、凹部でない部分（２６）にはインキは盛られていないので白彩紋（１）となる。
【０００５】
しかし、白彩紋印刷物では、白彩紋となる、凹部でない部分（２６）の面積に対し、背景部となる、凹部（２２）の面積が大きいので、ドクター（２３）が余分に盛られたインキ（２４）をかきとる際に、凹部（２２）に盛られるインキ（２５）は、破線で示すような均一な正常な厚みのものとならず、薄い厚みのものとなってしまう。
従って、この状態で印刷が行われると、背景部にはインキ抜け、掠れなどが発生し易くなる。
【０００６】
図３は、このようなインキ抜け、掠れなどの発生を防ぐために用いられている技法を示したものである。すなわち、図２に示す凹部（２２）に肉持ちパターン（３２）と称する凸部を設け、ドクター（２３）で余分に盛られたインキ（２４）をかきとる際に、この肉持ちパターン（３２）でドクター（２３）を支え、インキが均一な正常な厚みに盛られるようにする方法である。
【０００７】
肉持ちパターン（３２）を凹部（２２）に設けることによって、凹部には均一な正常な厚みにインキが盛られ、印刷された背景部にはインキ抜け、掠れなどが発生することがなくなる。
尚、この際の背景部は、一様な濃度のものとなるが、その全面にインキが設けられた状態ではなく、インキが設けられていない白地の肉持ちパターン（３２）を有したものとなる。
【０００８】
【発明が解決しようとする課題】
本発明は、凹版印刷によって白彩紋が設けられ、既に偽造防止効果を有する白彩紋印刷物の偽造防止効果を、更に高めた白彩紋印刷物を提供することを課題とするものである。
【０００９】
【課題を解決するための手段】
本発明は、凹版印刷によって白彩紋が設けられた印刷物において、白彩紋以外の部分が潜像部と背景部とで構成されており、潜像部、及び背景部が、各々万線又は網点で表現され、ほぼ同濃度であることを特徴とする潜像を有する白彩紋印刷物である。
【００１０】
また、本発明は、上記発明による潜像を有する白彩紋印刷物において、前記潜像部、及び背景部が、共に万線で表現されており、潜像部の万線が縦万線、背景部の万線が横万線の組み合わせ、又は潜像部の万線が横万線、背景部の万線が縦万線の組み合わせであることを特徴とする潜像を有する白彩紋印刷物である。
【００１１】
また、本発明は、上記発明による潜像を有する白彩紋印刷物において、前記潜像部の画線の面積率が５０％〜９６％であって、前記背景部の画線の面積率が該潜像部の画線の面積率の±２０％以内であることを特徴とする潜像を有する白彩紋印刷物である。
【００１２】
【発明の実施の形態】
以下に、本発明による潜像を有する白彩紋印刷物を、その実施の形態に基づいて説明する。
図４は、本発明による潜像を有する白彩紋印刷物の一実施例を示す平面図である。また、図５は、図４に示す（Ａ）部分を拡大して示す説明図である。
図４、及び図５に示すように、潜像を有する白彩紋印刷物は、白彩紋（１）と白彩紋以外の部分（４）からなるが、白彩紋以外の部分（４）は、潜像部（３）と背景部（２）とで構成されている。
【００１３】
潜像部（３）は万線で表現され、また、背景部（２）は網点で表現され、ほぼ同濃度である。
潜像部（３）は、既に偽造防止効果を有する白彩紋印刷物の偽造防止効果を、更に高めるためのものであり、図５においては英文字のＴを表している。
潜像部（３）の万線は横万線であり、斜線で示す部分が、インキが設けらた画線（５）、他の部分がインキが設けられていない白地（６）である。
また、背景部（２）は、斜線で示す部分が、インキが設けらた画線（７）であり、他の部分がインキが設けられていない白地（８）である。
尚、背景部（２）の白地（８）は、例えば、前記白地の肉持ちパターン（３２）である。
【００１４】
上記のように、本発明による潜像を有する白彩紋印刷物においては、潜像部（３）と背景部（２）は、ほぼ同濃度のものとなっているので、一見して、潜像部（３）と背景部（２）を識別することは困難であり、潜像部（３）は視認できない。
潜像部（３）を視認する際には、白彩紋印刷物の後方側から光をあてて透かしたり、拡大鏡を用いることで容易に視認することができる。
尚、インキの盛りの厚さは、通常の凹版印刷の範囲であれば問題はなく、２０μｍ〜１００μｍ程度のものでよい。
【００１５】
本発明において、潜像部（３）は、万線又は網点であり、また、背景部（２）も、万線又は網点であり、その両濃度がほぼ同濃度であることを除いて、相互に制約されることはない。
図６は、潜像部（３）と背景部（２）における、万線と網点の組み合わせの例を示したものである。図６（イ）は、潜像部（３）と背景部（２）が共に万線の場合であり、図６中、（６５）は潜像部（３）の画線を、また、（６７）は背景部（２）の画線を示している。
同様に、図６（ロ）は、潜像部（３）が網点、背景部（２）が万線の場合であり、図６（ハ）は、潜像部（３）が万線、背景部（２）が網点の場合である。
【００１６】
本願における画線の面積率とは、網点で濃度を表現する場合には、網点の面積率、すなわち、網点面積が単位面積に占める割合を指している。また、万線濃度を表現する場合には、万線（インキが設けられる部分）の面積率、すなわち、万線面積が単位面積に占める割合を指している。
画線とは、網点のインキが設けられる部分、万線のインキが設けられる部分を指している。
【００１７】
図７は、網点が正方形の場合を例として、画線（網点）の面積率を説明する平面図である。図７に示すように、単位面積のピッチ（Ｐ１）を、例えば、１００μｍとした際に、画線（網点）（７０）の辺の巾（Ｗ１）が７１μｍであると、［（７１×７１）／（１００×１００）］≒５０％、「画線（網点）の面積率は５０％」と表現するものである。
尚、単位面積のピッチ（Ｐ１）の１００μｍは、網印刷物におけるスクリーン線数の２５０線／インチに相当する。
【００１８】
また、図８は、万線の場合の画線（万線）の面積率を説明する平面図である。図８に示すように、単位面積のピッチ（Ｐ２）を、例えば、１００μｍとした際に、画線（万線）（８０）の巾（Ｗ２）が５０μｍであると、［５０／１００］＝５０％、「画線（万線）の面積率は５０％」と表現するものである。
【００１９】
また、本発明は、潜像部（３）の画線の面積率が５０％〜９６％であることを特徴とするものである。画線の面積率が５０％以下となると、白彩紋とのコントラストが小さなものとなり、白彩紋印刷物として好ましくない。
また、本発明は、潜像部（３）の濃度と背景部（２）の濃度を、ほぼ同濃度のものとすることによって、潜像部（３）を視認できないものとしているが、背景部（３）の画線の面積率が、潜像部（３）の画線の面積率の±２０％以内において、その効果がある。
【００２０】
尚、潜像部（３）の万線の単位面積のピッチ（Ｐ２）は、具体的には４０μｍ〜５００μｍ程度、画線の巾（Ｗ２）は、２０μｍ〜１００μｍ程度のものである。
また、潜像部（３）及び背景部（２）の濃度を表現する画線は、万線や網点に限定されるものではない。
【００２１】
【実施例】
以下に、実施例を説明する。
＜実施例１＞
表１に示す条件、すなわち、線巾８０μｍの白彩紋に対し、白彩紋以外の部分の内、背景部を面積率８８％の縦万線で、潜像部を面積率８８％の横万線で構成した潜像を有する白彩紋印刷物を作製した。
得られた潜像を有する白彩紋印刷物の潜像部は視認できず、拡大鏡を用いることで容易に視認することができた。
【００２２】
＜実施例２＞
表１に示す条件、すなわち、線巾８０μｍの白彩紋に対し、白彩紋以外の部分の内、背景部を面積率９５％の網点で、潜像部を面積率８８％の横万線で構成した潜像を有する白彩紋印刷物を作製した。
得られた潜像を有する白彩紋印刷物の潜像部は視認できず、拡大鏡を用いることで容易に視認することができた。
【００２３】
【表１】
2004130587.tif 000003
【００２４】
【発明の効果】
本発明は、凹版印刷によって白彩紋が設けられた印刷物において、白彩紋以外の部分が潜像部と背景部とで構成されており、潜像部、及び背景部が、各々万線又は網点で表現され、ほぼ同濃度であるので、既に偽造防止効果を有する白彩紋印刷物の偽造防止効果を、更に高めた白彩紋印刷物となる。
【図面の簡単な説明】
【図１】白彩紋印刷物の一例を示した平面図である。
【図２】白彩紋を凹版印刷で印刷する際の、凹版とインキの関係を示した断面図である。
【図３】インキ抜け、掠れなどの発生を防ぐために用いられている技法を示した説明図である。
【図４】本発明による潜像を有する白彩紋印刷物の一実施例を示す平面図である。
【図５】図４に示す（Ａ）部分を拡大して示す説明図である。
【図６】（イ）、（ロ）、（は）は、潜像部と背景部における、万線と網点の組み合わせの例を示した説明図である。
【図７】網点が正方形の場合を例として、画線（網点）の面積率を説明する平面図である。
【図８】万線の場合の画線（万線）の面積率を説明する平面図である。
【符号の説明】
１・・・白彩紋
２・・・背景部
３・・・潜像部
４・・・白彩紋以外の部分
５、７・・・インキが設けらた画線
６、８・・・設けられていない白地
２１・・・凹版
２２・・・凹部
２３・・・ドクター
２４・・・余分に盛られたインキ
２５・・・凹部に盛られたインキ
２６・・・凹部でない部分
３２・・・肉持ちパターン
６５・・・潜像部の画線
６７・・・背景部の画線
７０・・・画線（網点）
８０・・・画線（万線）
Ｐ１、Ｐ２・・・単位面積のピッチ
Ｗ１・・・画線（網点）の辺の巾
Ｗ２・・・画線（万線）の巾
【図１】
2004130587.tif 000004
【図２】
2004130587.tif 000005
【図３】
2004130587.tif 000006
【図４】
2004130587.tif 000007
【図５】
2004130587.tif 000008
【図６】
2004130587.tif 000009
【図７】
2004130587.tif 000010
【図８】
2004130587.tif 000011